(57)【要約】【課題】  はんだを用いない構成で良好な動作を可能にするスイッチモジュール、及び、スイッチ装置を提供する。【解決手段】  スイッチモジュールは、第１面及び第２面の間を厚さ方向に貫通する収納部を有し、固定接点部材を有する基板に固着されるハウジングと、前記収納部に収納され、前記固定接点部材と接離可能な可動接点部材と、前記ハウジングの第１面に固着されるカバーシートと、を含み、前記ハウジングは、前記第２面から突出して形成され、平面視で前記収納部を囲み、弾性を有する囲繞部を有する。【選択図】図６
2020071991.tif 000002
【特許請求の範囲】
【請求項１】
第１面及び第２面の間を厚さ方向に貫通する収納部を有し、固定接点部材を有する基板に固着されるハウジングと、
前記収納部に収納され、前記固定接点部材と接離可能な可動接点部材と、
前記ハウジングの第１面に固着されるカバーシートと、
を含み、
前記ハウジングは、前記第２面から突出して形成され、平面視で前記収納部を囲み、弾性を有する囲繞部を有する、スイッチモジュール。
【請求項２】
前記囲繞部は、前記ハウジングと一体成型されている、請求項１記載のスイッチモジュール。
【請求項３】
前記ハウジングは、前記第２面から突出し、前記基板の貫通孔に挿入されて固定される柱状の突起部を有する、請求項１又は２記載のスイッチモジュール。
【請求項４】
前記突起部の先端側の前記貫通孔から突出する部分は、前記突起部の前記貫通孔の内部に位置する部分よりも太い、請求項３記載のスイッチモジュール。
【請求項５】
前記ハウジングは、平面視で前記囲繞部を囲むように前記第２面に配置される粘着部によって前記基板に固着される、請求項１乃至４のいずれか一項記載のスイッチモジュール。
【請求項６】
前記可動接点部材は、ドーム状に形成され反転動作可能なドーム部と、前記ドーム部の外周端部から外方へ帯状に延設された脚部とを有する金属板ばねであり、
前記ハウジングは、前記収納部に連続して形成され、前記脚部を収納可能で有底の保持ガイド部を有する、請求項１乃至５のいずれか一項記載のスイッチモジュール。
【請求項７】
前記脚部は前記ドーム部の押圧方向に突出する当接部を有し、
前記当接部は、前記ドーム部よりも前記押圧方向に突出している、請求項６記載のスイッチモジュール。
【請求項８】
前記可動接点部材と前記カバーシートとの間に配設される柱状の本体部と、前記本体部の側面から全周にわたって突出し、前記収納部の内壁形状に沿った形状を有するフランジ部とを有する押圧部材をさらに含み、
前記本体部は、平面視で前記ドーム部の頂部に位置を合わせて配置される、請求項６又は７記載のスイッチモジュール。
【請求項９】
前記本体部は、前記フランジ部よりも前記カバーシート側の第１部の方が、前記フランジ部よりも前記可動接点部材側の第２部の方が太い、請求項８記載のスイッチモジュール。
【請求項１０】
請求項１乃至９のいずれか一項記載のスイッチモジュールと、
前記固定接点部材を有する基板と
を含む、スイッチ装置。
【発明の詳細な説明】
【技術分野】
【０００１】
本発明は、スイッチモジュール、及び、スイッチ装置に関する。
【背景技術】
【０００２】
従来より、基部と該基部から突出形成された反転可能なドーム状の膨出部とを有する絶縁性の弾性体と、前記膨出部の下面側に設けられた接点部と、半田付け可能な金属材からなり、前記弾性体の基部に取り付けられた枠体とを備え、前記枠体は、前記基部の縦方向の移動を規制する規制部と、前記基部の外周面と当接して前記基部の横方向の移動を規制する内壁面が形成された壁部とを有し、この壁部の下部側の少なくとも一部が回路基板への表面実装時の半田付け部とされると共に、前記基部は、その底面が前記回路基板への載置面とされており、該載置面側における前記基部と前記壁部の内壁面との間に空間部を設けたことを特徴とする押釦スイッチ用可動接点体がある（例えば、特許文献１参照）。
【先行技術文献】
【特許文献】
【０００３】
【特許文献１】特開２００３−２８１９６７号公報
【発明の概要】
【発明が解決しようとする課題】
【０００４】
ところで、半田（はんだ）付けを行わずに枠体（ハウジング）を回路基板に取り付けたい場合がある。例えば、ハウジングを接着剤や接着シート等で回路基板に固定する方法があるが、接着剤や接着シート等が軟化してハウジングと回路基板とで囲まれた内部空間に流れ込むと、回路基板に設けられた接点等に付着し、接点部の動作不良に繋がるおそれがある。
【０００５】
そこで、はんだを用いない構成で良好な動作を可能にするスイッチモジュール、及び、スイッチ装置を提供することを目的とする。
【課題を解決するための手段】
【０００６】
本発明の実施の形態のスイッチモジュールは、第１面及び第２面の間を厚さ方向に貫通する収納部を有し、固定接点部材を有する基板に固着されるハウジングと、前記収納部に収納され、前記固定接点部材と接離可能な可動接点部材と、前記ハウジングの第１面に固着されるカバーシートと、を含み、前記ハウジングは、前記第２面から突出して形成され、平面視で前記収納部を囲み、弾性を有する囲繞部を有する。
【発明の効果】
【０００７】
はんだを用いない構成で良好な動作を可能にするスイッチモジュール、及び、スイッチ装置を提供することができる。
【図面の簡単な説明】
【０００８】
【図１】実施の形態のスイッチ装置１００を示す斜視図である。
【図２】スイッチ装置１００の分解図である。
【図３】スイッチ装置１００の裏側を示す斜視図である。
【図４】図１のＡ−Ａ矢視断面を示す図である。
【図５】スイッチモジュール１００Ａを示す斜視図である。
【図６】スイッチモジュール１００Ａの裏側を示す斜視図である。
【図７】スイッチモジュール１００Ａを示す底面図である。
【発明を実施するための形態】
【０００９】
以下、本発明のスイッチモジュール、及び、スイッチ装置を適用した実施の形態について説明する。
【００１０】
＜実施の形態＞
図１は、実施の形態のスイッチ装置１００を示す斜視図である。図２は、スイッチ装置１００の分解図である。図３は、スイッチ装置１００の裏側を示す斜視図である。図４は、図１のＡ−Ａ矢視断面を示す図である。図４では、スイッチモジュール１００Ａと配線基板１６０とを分けて示す。図５は、スイッチモジュール１００Ａを示す斜視図である。図６は、スイッチモジュール１００Ａの裏側を示す斜視図である。
【００１１】
以下ではＸＹＺ座標系を用いて説明する。また、以下では、説明の便宜上、Ｚ軸負方向側を下側又は下、Ｚ軸正方向側を上側又は上と称すが、普遍的な上下関係を表すものではない。また、平面視とはＸＹ面視をいう。
【００１２】
図１乃至図４に示すように、スイッチ装置１００は、ハウジング１１０、メタルコンタクト１２０、ステム１３０、インシュレータ１４０、接着シート１５０、及び配線基板１６０を含む。これらのうち、ハウジング１１０、メタルコンタクト１２０、ステム１３０、及びインシュレータ１４０は、スイッチモジュール１００Ａを構成する。スイッチモジュール１００Ａは、押釦スイッチである。
【００１３】
ハウジング１１０は、樹脂製であり、Ｘ軸方向及びＹ軸方向の長さが等しく、Ｚ軸方向に厚さを有する板状の部材（筐体）である。ハウジング１１０の上面は第１面の一例であり、下面は第２面の一例である。
【００１４】
ハウジング１１０は、厚さ方向に貫通する収納部１１１を有する。ハウジング１１０の上面にはインシュレータ１４０が接着され、下面には配線基板１６０が固着される。
【００１５】
収納部１１１には、メタルコンタクト１２０とステム１３０の一部とが収納される。平面視における収納部１１１の位置は、配線基板１６０の上面に配置される固定接点１６１の位置と合わせられているため、収納部１１１の下部には固定接点１６１も収納されることになる。
【００１６】
収納部１１１は、図４に示すように、脚部収納部１１１Ａと支持部１１１Ｂを有する。脚部収納部１１１Ａは、収納部１１１の内周部からハウジング１１０の四隅の方向に延在しており、収納部１１１を延長した部分である。脚部収納部１１１Ａは、ハウジング１１０の下面までは貫通しておらず、上面側から凹んだ形状を有する。換言すれば、脚部収納部１１１Ａは、有底（底がある構造）である。脚部収納部１１１Ａの底部には、支持部１１１Ｂが設けられる。支持部１１１Ｂは、脚部収納部１１１Ａの有底の部分である。脚部収納部１１１Ａは、メタルコンタクト１２０の脚部１２３を収納し、脚部１２３の先端は、支持部１１１Ｂに支持される。脚部収納部１１１Ａと支持部１１１Ｂは、保持ガイド部の一例である。
【００１７】
また、ハウジング１１０は、図４及び図６に示すように、下面に突起部１１２及び囲繞部１１３を有する。
【００１８】
突起部１１２は、ハウジング１１０の四隅からＺ軸負方向側に突出した円柱状の部材である。突起部１１２は、弾性を有する樹脂製の部材であり、一例としてハウジング１１０と一体成型される。
【００１９】
突起部１１２は、４本設けられており、それぞれ配線基板１６０の貫通孔１６２に挿入される。貫通孔１６２の内径は、突起部１１２の外径よりも小さいため、突起部１１２は貫通孔１６２に圧入された状態で挿入され、貫通孔１６２にかしめられる。突起部１１２の先端は、図３に示すように配線基板１６０の下面から突出し、その突出した部分はかしめられる。する。このため、突起部１１２が貫通孔１６２に挿入され圧入され、かしめられた状態では、突起部１１２の先端は、貫通孔１６２の中の部分よりも太くなっている。このように、突起部１１２の先端を貫通孔１６２に挿入してかしめる場合には、突起部１１２を貫通孔１６２に圧入しなくてもよい。
【００２０】
ハウジング１１０は、接着シート１５０を介して配線基板１６０に接着されるとともに、突起部１１２が配線基板１６０の貫通孔１６２に圧入され、先端がかしめられることによって配線基板１６０に固定される。
【００２１】
囲繞部１１３は、図６に示すようにハウジング１１０の下面に設けられる畝状の部分であり、ハウジング１１０の下面よりもＺ軸負方向側に突出している。囲繞部１１３は、ＸＹ平面視で収納部１１１（脚部収納部１１１Ａを含む）よりも外側で、かつ、突起部１１２よりも内側を通り、収納部１１１の周りを１周するように矩形状に設けられている。囲繞部１１３は、ＸＹ平面視で収納部１１１を囲繞している。囲繞部１１３は、弾性を有する樹脂製の部材であり、一例としてハウジング１１０と一体的に成形される。囲繞部１１３をハウジング１１０と一体的に成形する場合は、２色成型によって囲繞部１１３がハウジング１１０よりも弾性率が低い（変形しやすい）部材になるようにすればよい。
【００２２】
囲繞部１１３は、図２に示す接着シート１５０の開口部１５１の内側に位置するため、ハウジング１１０が接着シート１５０を介して配線基板１６０に接着されるとともに、突起部１１２が配線基板１６０の貫通孔１６２に圧入されて配線基板１６０に固定されると、囲繞部１１３は、Ｚ軸方向に押し潰された状態で配線基板１６０の上面に当接する。
【００２３】
この状態で囲繞部１１３はＺ軸方向に押し潰されているため、ハウジング１１０と配線基板１６０との間は、囲繞部１１３によって封止される。囲繞部１１３による封止は、所定の防水レベルを満たすレベルのものである。囲繞部１１３は、メタルコンタクト１２０及び固定接点１６１が位置する空間内に、軟化した接着シート１５０やその他の異物が進入するのを防ぐ防壁部としての役割を担う。
【００２４】
メタルコンタクト１２０は、弾性および導電性を有する金属板ばねで構成され、収納部１１１に配置されている。ここでは、図７をさらに用いてメタルコンタクト１２０を説明する。図７は、スイッチモジュール１００Ａを示す底面図である。
【００２５】
メタルコンタクト１２０は、図２に示すように、膨出した形状のドーム部１２１と、ドーム部１２１を支持する脚部１２３と、ドーム部１２１の頂部近傍で開口部１２２によって舌片状に区画され、屈曲部１２４から折り曲げられた接片部１２５とを有している。この片持ちの舌片状の外形を有する接片部１２５は、図２に示すように、その先端側に凸部１２５Ａが設けられている。
【００２６】
ドーム部１２１はドーム状に図２のＺ軸正方向に膨出した形状を有し、ＸＹ平面視で円形状である。ドーム部１２１は、膨出方向（Ｚ軸正方向）からの押圧操作によって、膨出する方向が反転する反転動作可能な形状を有している。また、この押圧から解放されると元の膨出する方向に復帰する弾性を有している。
【００２７】
脚部１２３は、ドーム部１２１の外周端部から外方向へ延在して４個形成されている。脚部１２３は、ドーム部１２１の外周端部から外方向かつＺ軸負方向に延在し、折曲部１２３Ａで外方向かつＺ軸正方向に延在するように折り曲げられている。このため、折曲部１２３Ａは、ドーム部１２１よりもメタルコンタクト１２０の押圧方向（Ｚ軸負方向）に突出している。
【００２８】
４個の脚部１２３の折曲部１２３Ａは、それぞれ、４個の周辺固定接点１６１Ｂに当接するように配置される。このため、折曲部１２３Ａは、脚部収納部１１１Ａの内部には収納されておらず、脚部収納部１１１Ａの内部には、脚部１２３のうち折曲部１２３Ａよりも先の部分が収納され、脚部１２３の先端が支持部１１１Ｂによって支持される。折曲部１２３Ａは、当接部の一例である。
【００２９】
このように、脚部１２３の先端が支持部１１１Ｂによって支持されることにより、メタルコンタクト１２０は、収納部１１１の内部で安定的に保持される。
【００３０】
なお、ハウジング１１０が配線基板１６０に固定された場合には、折曲部１２３Ａがそれぞれ４個の周辺固定接点１６１Ｂに当接するので、脚部１２３の先端が支持部１１１Ｂから離間していても良い。
【００３１】
脚部１２３は、押圧操作によってドーム部１２１が反転動作する際にはドーム部１２１の外周端部を支持し、ドーム部１２１の反転動作後には撓むことが可能な弾性力を備えている。後述するように、脚部１２３は、ドーム部１２１が反転動作した際に、接片部１２５の凸部１２５Ａが中央固定接点１６１Ａに当接可能となる長さ（高さ）を有している。
【００３２】
メタルコンタクト１２０は、図７に示すように、ドーム部１２１の頂部側から平面視したときに、接片部１２５が、ドーム部１２１の仮想頂点１２６を中心とする円形領域ＣＲ内に配置された開口部１２２によって舌片状に区画されている。そして、接片部１２５が接片部１２５の根元側の屈曲部１２４からＺ軸負方向側折り曲げられて、ドーム部１２１の内側に向かって突出し、接片部１２５以外のドーム部１２１の円形領域ＣＲは、ほぼ平坦な面に加工されている。屈曲部１２４には、２個の凸部１２４Ａが設けられている。
【００３３】
接片部１２５に設けられた凸部１２５Ａと、円形領域ＣＲ内に設けられた凸部１２４Ａとは、どちらも、Ｚ軸負方向に突出する半球状に形成されている。なお、上記のようなメタルコンタクト１２０の形状は、金型を用いた金属板の打ち抜き加工およびプレス加工と折り曲げ加工との組み合わせによって形成可能である。
【００３４】
メタルコンタクト１２０はハウジング１１０の収納部１１１に配置され、ステム１３０がドーム部１２１の頂部側に接するように配置される。インシュレータ１４０の突出部１４１が押圧されていない初期状態では、ドーム部１２１および接片部１２５と中央固定接点１６１Ａとは離間している。なお、メタルコンタクト１２０は、４個の脚部１２３が４個の周辺固定接点１６１Ｂにそれぞれ接して、周辺固定接点１６１Ｂとの電気的な導通状態が得られている。
【００３５】
突出部１４１が押圧され、ドーム部１２１の反転状態になると、接片部１２５がＺ軸負方向に移動して、中央固定接点１６１Ａ側に向かって凸状に設けられた凸部１２５Ａが中央固定接点１６１Ａに当接する状態になる。接片部１２５は、ドーム部１２１が反転動作する弾性力に比べて小さな弾性力となるように設定されており、撓みやすくなっている。このため、接片部１２５は、凸部１２５Ａが中央固定接点１６１Ａに当接して、屈曲部１２４を支点に先端側がわずかに弾性変形して接触が安定に保たれている。当接する部位が凸部１２５Ａであるため、電気的にも安定した接触が得られる。
【００３６】
さらに突出部１４１が押圧された最大操作量では、脚部１２３および接片部１２５が撓むことによって反転状態のドーム部１２１全体が中央固定接点１６１Ａに接近し、中央固定接点１６１Ａ側に向かって凸状に設けられた凸部１２４Ａが中央固定接点１６１Ａに当接する状態になる。この状態からは、これ以上弾性変形しにくいため、操作者に感じられる操作荷重が急激に増大する。このとき、上述したように、メタルコンタクト１２０と中央固定接点１６１Ａとの電気的な導通はすでになされており、凸部１２４Ａが当接しても電気的な接離状態は変化しない。なお、凸部１２５Ａと２個の凸部１２４Ａとの３点で、中央固定接点１６１Ａに当接するので、メタルコンタクト１２０と中央固定接点１６１Ａとの当接状態がより安定する。
【００３７】
また、凸部１２５Ａと２個の凸部１２４Ａとの３点で中央固定接点１６１Ａに当接することで、過剰な力で押圧された場合でも、接片部１２５が突出方向と逆側に折り曲げるような力が掛かりにくくなるので、動作寿命が長くなる効果もある。
【００３８】
突出部１４１の押圧操作を解放すると、メタルコンタクト１２０の弾性力によって初期状態に復帰する。
【００３９】
ステム１３０は、図２及び図４に示すように、柱状部１３１とフランジ部１３２とを有する。ステム１３０は、一例として樹脂製であり、押圧部材の一例である。柱状部１３１は、ステム１３０の基部であり、円柱状の形状を有する。柱状部１３１は、一例として、フランジ部１３２よりも上側の部分（上部）１３１Ａの方が下側の部分（下部）１３１Ｂよりも直径が大きい（太い）。
【００４０】
上部１３１Ａは、インシュレータ１４０の突出部１４１が指等によって押されるため、ある程度太い方が押圧時に確実に押すことができ、下部１３１Ｂは、メタルコンタクト１２０のドーム部１２１の中央を押圧するため、ある程度細い方がドーム部１２１の中央を確実に押せて反転させやすいからである。
【００４１】
フランジ部１３２は、柱状部１３１の側面から径方向外側に突出する円盤状の突出部である。フランジ部１３２の高さは、柱状部１３１の上端と下端の略中間である。フランジ部１３２の直径は、収納部１１１の内径に合わせられている。すなわち、ステム１３０の平面視の形状及びサイズは、収納部１１１から脚部収納部１１１Ａを除いた部分の形状及びサイズと略等しい。上下動に伴うステム１３０の振れを抑制するためである。なお、図４は、脚部収納部１１１Ａも含む断面である。
【００４２】
このようなステム１３０をメタルコンタクト１２０とインシュレータ１４０との間に配設し、インシュレータ１４０の突出部１４１が押圧されたときに、ステム１３０を介してメタルコンタクト１２０を押圧する構成にすることにより、スイッチモジュール１００Ａを小型化してメタルコンタクト１２０が小型化されても、確実にメタルコンタクト１２０の中心を押圧することができる。
【００４３】
また、スイッチモジュール１００Ａが小型化されると、ハウジング１１０とインシュレータ１４０との接着面積が小さくなる。このような場合に、実装時等にスイッチモジュール１００Ａが高温に晒されてインシュレータ１４０及び配線基板１６０によって上下が封止された収納部１１１の内部の空間の温度が上昇すると、空気の熱膨張によってインシュレータ１４０がハウジング１１０から剥がれるおそれがある。
【００４４】
しかしながら、ステム１３０を設けることで内部空間の空気の量を減らすことができ、さらにステム１３０がフランジを有することで、さらに内部空間の空気の量を減らすことができるので、空気の熱膨張によるインシュレータ１４０の剥がれを抑制することができる。
【００４５】
インシュレータ１４０は、樹脂シートで構成され、ハウジング１１０の上面に接着され、収納部１１１を封止している。このようにして、インシュレータ１４０は、ハウジング１１０の上面に固着される。ハウジング１１０とインシュレータ１４０との間の封止は、所定の防水レベルを満たすレベルのものである。インシュレータ１４０は、透明であってもよい。インシュレータ１４０は、カバーシートの一例である。
【００４６】
インシュレータ１４０は、平面視におけるステム１３０の上部１３１Ａと重なる位置に突出部１４１を有する（図１、２、４、５参照）。突出部１４１は、樹脂シートを加熱加工することによって形成される。
【００４７】
ハウジング１１０の収納部１１１に、メタルコンタクト１２０及びステム１３０が収納された状態で、インシュレータ１４０がハウジング１１０に接着される。インシュレータ１４０がハウジング１１０に接着されることで、メタルコンタクト１２０及びステム１３０は、収納部１１１内にガタつかないように保持される。
【００４８】
突出部１４１は、平面視でステム１３０の柱状部１３１の上部１３１Ａの上面と重なる位置に配置され柱状部１３１の上部１３１Ａの上面に接触している。突出部１４１は、Ｚ軸負方向に押圧されることによってＺ軸負方向に撓み変形可能であり、図４に示すように撓み変形していない状態において、柱状部１３１の上面に接触している。
【００４９】
接着シート１５０は、ハウジング１１０の下面に配線基板１６０を接着するシート状の部材である。接着シート１５０は、粘着部の一例である。接着シート１５０は、図２に示すように、収納部１１１及び囲繞部１１３に対応した開口部１５１と、４本の突起部１１２及び貫通孔１６２に対応した切り欠き部１５２とを有する。開口部１５１は、平面視で囲繞部１１３の外側に位置する。接着シート１５０は、ハウジング１１０の下面と配線基板１６０との間を接着する。ハウジング１１０は、突起部１１２を配線基板１６０の貫通孔１６２に圧入することによって配線基板１６０に固定されるが、接着シート１５０を用いることにより、より安定的に固定することができる。
【００５０】
配線基板１６０の上面には、固定接点１６１が実装されている。固定接点１６１は、平面視で収納部１１１に対応した位置に設けられており、１個の中央固定接点１６１Ａと４個の周辺固定接点１６１Ｂを有する。４個の周辺固定接点１６１Ｂは、それぞれ、メタルコンタクト１２０の４本の脚部１２３の折曲部１２３Ａに対応した位置に配置されている。
【００５１】
インシュレータ１４０の突出部１４１が押圧されていない状態では、メタルコンタクト１２０の４本の脚部１２３の折曲部１２３Ａが、それぞれ、４個の周辺固定接点１６１Ｂに接触し、電気的に接続されている。
【００５２】
インシュレータ１４０の突出部１４１がＺ軸方向における最下部（フルストロークの位置）まで押圧されると、メタルコンタクト１２０のドーム部１２１が反転動作して中央固定接点１６１Ａに接触し、中央固定接点１６１Ａと４個の周辺固定接点１６１Ｂとが反転動作したメタルコンタクト１２０によって電気的に接続される。
【００５３】
以上のように、スイッチモジュール１００Ａ、及び、スイッチ装置１００では、ハウジング１１０が接着シート１５０を介して配線基板１６０に接着されるとともに、突起部１１２が配線基板１６０の貫通孔１６２に圧入されて配線基板１６０に固定されると、囲繞部１１３は、Ｚ軸方向に押し潰された状態で配線基板１６０の上面に当接するので、ハウジング１１０と配線基板１６０との間は囲繞部１１３によって封止される。
【００５４】
このため、メタルコンタクト１２０及び固定接点１６１が存在する内部空間は、囲繞部１１３によって封止されているため、軟化した接着シート１５０やその他の異物がメタルコンタクト１２０や固定接点１６１に付着することを抑制でき、スイッチモジュール１００Ａ、及び、スイッチ装置１００の動作不良の発生を抑制できる。
【００５５】
したがって、はんだを用いない構成で良好な動作を可能にするスイッチモジュール１００Ａ、及び、スイッチ装置１００を提供することができる。
【００５６】
また、ステム１３０の平面視の形状及びサイズは、収納部１１１の形状及びサイズと合わせてあるが、収納部１１１は脚部収納部１１１Ａを有するため、ステム１３０が上下に移動する際には、収納部１１１の内部空間の空気は脚部収納部１１１Ａを主に通過してフランジ部１３２の上の空間と下の空間とを行き来できる。
【００５７】
このため、ステム１３０が上下にスムーズに移動できるようになり、動作の良好なスイッチモジュール１００Ａ、及び、スイッチ装置１００を提供することができる。
【００５８】
なお、以上では、接着シート１５０を用いる形態について説明したが、接着剤や粘着剤又は粘着シートを用いた場合でも同様である。
【００５９】
また、以上では、囲繞部１１３がハウジング１１０と一体成型されている形態について説明したが、囲繞部１１３はハウジング１１０とは別部材であって、位置を合わせて配置されるようにしてもよい。また、軟化してもメタルコンタクト１２０や固定接点１６１の接点不良を生じないものであれば、両面テープのようなものであってもよい。
【００６０】
また、以上では、ハウジング１１０が突起部１１２を有し、突起部１１２が配線基板１６０の貫通孔１６２に圧入される形態について説明したが、ハウジング１１０は突起部１１２を有さず、配線基板１６０は貫通孔１６２を有しない構成であってもよい。この場合には、接着シート１５０の接着力をより強くすること等によって、ハウジング１１０と配線基板１６０とをしっかりと固定するようにすればよい。
【００６１】
また、以上では、メタルコンタクト１２０のドーム部１２１に開口部１２２、屈曲部１２４、及び接片部１２５等が設けられる形態について説明したが、ドーム部１２１は、開口部１２２、屈曲部１２４、及び接片部１２５等を含まず、半球体状でドーム状の部材であって、頂部がステム１３０の下部１３１Ｂの下面に当接するように構成されていてもよい。
【００６２】
また、以上では、メタルコンタクト１２０の脚部１２３が４本である形態について説明したが、メタルコンタクト１２０の脚部１２３は、メタルコンタクト１２０をハウジング１１０に対して支持できればよいので、４本には限られない。
【００６３】
以上、本発明の例示的な実施の形態のスイッチモジュール、及び、スイッチ装置について説明したが、本発明は、具体的に開示された実施の形態に限定されるものではなく、特許請求の範囲から逸脱することなく、種々の変形や変更が可能である。
【符号の説明】
【００６４】
１００  スイッチ装置
１００Ａ  スイッチモジュール
１１０  ハウジング
１１１  収納部
１１１Ａ  脚部収納部
１１１Ｂ  支持部
１２０  メタルコンタクト
１２１  ドーム部
１２３  脚部
１３０  ステム
１３１  柱状部
１３２  フランジ部
１４０  インシュレータ
１６１  固定接点
１６１Ａ  中央固定接点
１６１Ｂ  周辺固定接点
【図１】
2020071991.tif 000003
【図２】
2020071991.tif 000004
【図３】
2020071991.tif 000005
【図４】
2020071991.tif 000006
【図５】
2020071991.tif 000007
【図６】
2020071991.tif 000008
【図７】
2020071991.tif 000009